(57)【要約】【課題】モータトルクを低下させることなく、低振動、低騒音のモータユニットや、低振動、低騒音のレンズ鏡胴を得ることにより、不要な騒音の記録されることのないカメラを得る。【解決手段】モータと、モータにより回転させられるリードスクリューと、モータとリードスクリューを先端軸受を介して保持する固定フレームと、モータ内に取り付けられたスラストバネと、を有するモータユニットにおいて、リードスクリュー、先端軸受、固定フレーム及びスラストバネのうち、少なくともいずれか１つを制振材料で形成したモータユニットとする。【選択図】図２
2007306755.tif 000002
【特許請求の範囲】
【請求項１】
モータと、該モータにより回転させられる雄ネジ部材であるリードスクリューと、
前記モータと前記リードスクリューを先端軸受を介して保持する固定フレームと、
前記モータ内に取り付けられたスラストバネと、前記リードスクリューに螺合する雌ネジ部材であるナットと、を有するモータユニットにおいて、
前記リードスクリュー、前記ナット、前記先端軸受、前記固定フレーム及び前記スラストバネのうち、少なくともいずれか１つを制振材料で形成したことを特徴とするモータユニット。
【請求項２】
前記制振材料に、双晶型のマンガン基制振合金を用いたことを特徴とする請求項１に記載のモータユニット。
【請求項３】
光軸方向に移動するレンズ群を有し、該レンズ群の移動に請求項１又は２に記載のモータユニットを用いたことを特徴とするレンズ鏡胴。
【請求項４】
レンズ群と、該レンズ群を光軸方向に案内するガイド軸と、該ガイド軸を固定するガイド軸押さえと、前記ガイド軸及び前記ガイド軸押さえを保持する筐体と、を有し、
前記ガイド軸及び前記ガイド軸押さえの少なくとも一方が制振材料で形成されていることを特徴とするレンズ鏡胴。
【請求項５】
光軸方向に移動するレンズ群と、該レンズ群を光軸方向に移動させるモータと、前記レンズ群と前記モータを内包する筐体と、該筐体には開口部が形成され、前記開口部を塞ぐ蓋部材と、を有し、
前記筐体及び前記蓋部材の少なくとも一方が制振材料で形成されていることを特徴とするレンズ鏡胴。
【請求項６】
光軸方向に移動するレンズ群と、該レンズ群を光軸方向に移動させるモータと、前記レンズ群と前記モータを内包する筐体と、を有し、
前記モータはネジ又はネジとワッシャにより前記筐体に取り付けられ、前記ネジ及びワッシャの少なくとも一方が制振材料で形成されていることを特徴とするレンズ鏡胴。
【請求項７】
前記制振材料に、双晶型のマンガン基制振合金を用いたことを特徴とする請求項４〜６のいずれか１項に記載のレンズ鏡胴。
【請求項８】
請求項３〜７のいずれか１項に記載のレンズ鏡胴を備えたことを特徴とするカメラ。
【発明の詳細な説明】
【技術分野】
【０００１】
本発明は、カメラに用いられるレンズ鏡胴及び該レンズ鏡胴に用いられるモータユニットに関するものである。
【背景技術】
【０００２】
従来より、動画撮影や音声記録可能なカメラでは、撮影中にモータを駆動してレンズ群を移動させズーミングやフォーカシングを行う場合、モータ本体の振動や、この振動により発生する鏡胴構成部材の共振及び振動に伴う騒音も記録されてしまうため、振動及び騒音を抑える対策が必要なことが知られている。
【０００３】
この駆動騒音及び振動の低減のため、ステッピングモータの出力軸にウェイト部材を取り付け、このモータをレンズ鏡胴に組み付けたものが知られている（例えば、特許文献１参照）。
【０００４】
また、事務機等に使用される外転型電動機の固定子を固定するボスとカバーの結合部に制振材料を配置したものが知られている（例えば、特許文献２参照）。
【０００５】
一方、制振材料として、マンガン（Ｍｎ）、銅（Ｃｕ）、ニッケル（Ｎｉ）、鉄（Ｆｅ）からなるＭｎベースの制振合金も知られている。
【特許文献１】特開平１１−７２６８７号公報
【特許文献２】特開２００１−３３９９０２号公報
【発明の開示】
【発明が解決しようとする課題】
【０００６】
しかしながら、上記特許文献１のモータは、出力軸へのウェイト追加によってモータトルクを低下させ、騒音及び振動を抑えるものであり、装置に必要な出力を得るためには相対的に大型のモータが必要となったり、消費電力の増大の問題がある。
【０００７】
また、特許文献２の外転型電動機は、レンズ鏡胴等に多用されているステッピングモータとは構造が異なり適用できないものである。
【０００８】
本発明は、上記問題に鑑み、モータトルクを低下させることなく、低振動、低騒音のモータユニットや、低振動、低騒音のレンズ鏡胴を得ることにより、不要な騒音の記録されることのないカメラを得ることを目的とするものである。
【課題を解決するための手段】
【０００９】
上記の目的は、下記に記載する発明により達成される。
【００１０】
１．モータと、該モータにより回転させられる雄ネジ部材であるリードスクリューと、前記モータと前記リードスクリューを先端軸受を介して保持する固定フレームと、前記モータ内に取り付けられたスラストバネと、前記リードスクリューに螺合する雌ネジ部材であるナットと、を有するモータユニットにおいて、前記リードスクリュー、前記ナット、前記先端軸受、前記固定フレーム及び前記スラストバネのうち、少なくともいずれか１つを制振材料で形成したことを特徴とするモータユニット。
【００１１】
２．前記制振材料に、双晶型のマンガン基制振合金を用いたことを特徴とする１に記載のモータユニット。
【００１２】
３．光軸方向に移動するレンズ群を有し、該レンズ群の移動に１又は２に記載のモータユニットを用いたことを特徴とするレンズ鏡胴。
【００１３】
４．レンズ群と、該レンズ群を光軸方向に案内するガイド軸と、該ガイド軸を固定するガイド軸押さえと、前記ガイド軸及び前記ガイド軸押さえを保持する筐体と、を有し、前記ガイド軸及び前記ガイド軸押さえの少なくとも一方が制振材料で形成されていることを特徴とするレンズ鏡胴。
【００１４】
５．光軸方向に移動するレンズ群と、該レンズ群を光軸方向に移動させるモータと、前記レンズ群と前記モータを内包する筐体と、該筐体には開口部が形成され、前記開口部を塞ぐ蓋部材と、を有し、前記筐体及び前記蓋部材の少なくとも一方が制振材料で形成されていることを特徴とするレンズ鏡胴。
【００１５】
６．光軸方向に移動するレンズ群と、該レンズ群を光軸方向に移動させるモータと、前記レンズ群と前記モータを内包する筐体と、を有し、前記モータはネジ又はネジとワッシャにより前記筐体に取り付けられ、前記ネジ及びワッシャの少なくとも一方が制振材料で形成されていることを特徴とするレンズ鏡胴。
【００１６】
７．前記制振材料に、双晶型のマンガン基制振合金を用いたことを特徴とする４〜６のいずれかに記載のレンズ鏡胴。
【００１７】
８．３〜７のいずれかに記載のレンズ鏡胴を備えたことを特徴とするカメラ。
【発明の効果】
【００１８】
本発明によれば、モータトルクを低下させることなく、低振動、低騒音のモータユニットや、低振動、低騒音のレンズ鏡胴を得ることにより、特に動画撮影時に不要な騒音の記録されることのないカメラを得ることが可能となる。
【発明を実施するための最良の形態】
【００１９】
以下、実施の形態により本発明を詳しく説明するが、本発明はこれに限定されるものではない。
【００２０】
まず、本発明に係るモータユニットについて説明する。
【００２１】
図１は、本実施の形態に係るモータユニット１０の斜視図である。図２は、本実施の形態に係るモータユニット１０の断面図である。
【００２２】
図１及び図２において、１は先端軸受、２は固定フレーム、３は外ヨークとなるモータケース、８は出力軸である雄ねじに形成されたリードスクリューである。リードスクリュー８は先端軸受１を介して固定フレーム２に保持されている。
【００２３】
図２において、４はコイル、５は櫛歯形状（不図示）をしたステータである。ステータ５は、軸受６ａを有したボビン６にアウトサート成形されている。７はスラストバネであり、出力軸であるリードスクリュー８を一方向に付勢し、モータ内のスラスト方向のガタを防止している。９はマグネットである。
【００２４】
図３は、本実施の形態に係るレンズ鏡胴１００の内部構成の一例を示す模式図である。同図は筐体を省略して内部の状態を示したものである。
【００２５】
同図において、２１は第１レンズ群、２２は第２レンズ群、２３は第３レンズ群、２４は第４レンズ群、２５は光学フィルタであり、赤外光カットフィルタ及びオプチカルローパスフィルタが適宜積層されて構成されたものである。２６は撮像素子である。
【００２６】
第２レンズ群２２を保持する第２レンズ群鏡枠３２には、ガイド軸３６が嵌合貫通するスリーブ部３２ｓ及び、回転止めとしてガイド軸３８に係合する係合部３２ｋが、一体的に形成されている。スリーブ部３２ｓは、モータユニット１０Ａのリードスクリュー８に螺合した雌ネジ部材であるナット１１と係合している。リードスクリュー８の回転により、螺合するナット１１が移動し、係合する第２レンズ群鏡枠３２即ち第２レンズ群２２を光軸Ｏ方向に移動させるようになっている。
【００２７】
第４レンズ群２４を保持する第４レンズ群鏡枠３４には、ガイド軸３８が嵌合貫通するスリーブ部３４ｓ及び、回転止めとしてガイド軸３６に係合する係合部３４ｋが、一体的に形成されている。スリーブ部３４ｓは、モータユニット１０Ｂのリードスクリュー８に螺合した雌ネジ部材であるナット１１と係合している。リードスクリュー８の回転により、螺合するナット１１が移動し、係合する第４レンズ群鏡枠３４即ち第４レンズ群２４を光軸Ｏ方向に移動させるようになっている。
【００２８】
第２レンズ群２２と第４レンズ群２４を所定の関係で移動させることで全系の焦点距離を変更（ズーミング）し、更に第４レンズ群２４を単独で移動させることで焦点合わせ（フォーカシング）を行うことができる。
【００２９】
また、第１レンズ群２１と第３レンズ群２３は固定のレンズ群であり、第３レンズ群２３の近傍には不図示の光量を規制するための絞りであるアイリスユニットが配置される。
【００３０】
図４は、本実施の形態に係るレンズ鏡胴１００の外観を示す斜視図である。以下の図においては、説明の重複を避けるため、同機能部材には同符号を付与して説明する。
【００３１】
同図において、４１は筐体、４２は蓋部材である。筐体４１は、図３に示す各レンズ群２１〜２４及び、２つのガイド軸３６、３８を内包している。また、蓋部材４２は、筐体４１に図３に示す各レンズ群２１〜２４及び、２つのガイド軸３６、３８が組み込まれた後に、組み付けられる。更に、図３に示す２つのモータユニット１０Ａ、１０Ｂは、筐体４１の蓋部材４２に対向する側の面に取り付けられている。
【００３２】
４３はフレキシブルプリント基板であり、２つのモータユニット１０Ａ、１０Ｂ及び不図示のフォトセンサに接続されている。４４は、不図示の制御基板と接続するためのコネクタである。また、４５はボスであり、このボス４５はカメラ等に内蔵する際に、カメラ側の構造部材に固定するためのものである。
【００３３】
図５は、図４に示すレンズ鏡胴１００の蓋部材４２を外した状態を示す斜視図である。
【００３４】
同図に示すように、筐体４１には開口部が形成されており、この開口部から図示矢印方向にガイド軸３６、３８、第２レンズ群鏡枠３２、第３レンズ群２３、第４レンズ群鏡枠３４及び、アイリスユニット５１が組み込まれる。
【００３５】
ガイド軸３６の少なくとも一方の端部は、筐体４１の内面に形成された受け部４１ｋで保持され、外れ防止のためにガイド軸押さえ６１により筐体４１にガイド軸３６が固定されている。なお、不図示であるがガイド軸３８も同様である。
【００３６】
以上が本実施の形態に係るモータユニット１０、レンズ鏡胴１００の概略構造である。
【００３７】
本実施の形態では、図１〜図３に示したモータユニット１０において、リードスクリュー８、ナット１１、先端軸受１、固定フレーム２及びスラストバネ７のうち、少なくともいずれか１つが制振材料で形成されている。これにより、駆動源であるモータユニット自体から発生する振動騒音を防止することができ、このモータユニット１０を図４及び図５に示すレンズ鏡胴１００に用いることにより、モータトルクを低下させることなく、低振動、低騒音のレンズ鏡胴１００を得ることが可能となる。
【００３８】
このモータユニット１０のリードスクリュー８、ナット１１、先端軸受１、固定フレーム２及びスラストバネ７の、少なくともいずれか１つに用いられる制振材料としては、Ｆｅ−Ｃ−Ｓｉ、Ａｌ−Ｚｎ等の複合型の制振合金、Ｍｇ−Ｃｕ−Ｍｎ、Ｆｅ−Ｎｉ−Ｍｎ、Ｆｅ−Ｍｎ−Ｃｒ等の転位型の制振合金、Ｍｎ−Ｃｕ、Ｃｕ−Ｍｎ−Ａｌ、Ｃｕ−Ｍｎ−Ａｌ−Ｓｎ、Ｃｕ−Ａｌ−Ｎｉ、Ｃｕ−Ｚｎ−Ａｌ、Ｎｉ−Ｔｉ、Ｍｎ−Ｃｕ−Ｎｉ−Ｆｅ等の双晶型の制振合金等を用いることができるが、特に、双晶型のマンガン基制振合金が機械加工、塑性加工、鋳造、溶接、放電加工等の加工性が良好で好ましい。双晶型のマンガン基制振合金として、例えば、Ｍｎ７３％、Ｃｕ２０％、Ｎｉ５％、Ｆｅ２％（原子％）からなる制振合金が好適である。
【００３９】
また、レンズ鏡胴１００を構成する部材のうち、ガイド軸３６、３８、ガイド軸押さえ６１、筐体４１、蓋部材４２の少なくともいずれか１つを制振材料で形成することで、駆動源であるモータユニットの振動騒音による共振を防止することができ、低振動、低騒音のレンズ鏡胴１００を得ることが可能となる。
【００４０】
このガイド軸３６、３８、ガイド軸押さえ６１、蓋部材４２の少なくともいずれか１つに用いられる制振材料として上記と同様の、複合型の制振合金、転位型の制振合金、双晶型の制振合金等を用いることができるが、特に、双晶型のマンガン基制振合金が機械加工、塑性加工、鋳造、溶接、放電加工等の加工性及び制振性能の点で好ましい。双晶型のマンガン基制振合金として、例えば、Ｍｎ７３％、Ｃｕ２０％、Ｎｉ５％、Ｆｅ２％（原子％）からなる制振合金が好ましい。
【００４１】
また、ネジ及びワッシャの少なくとも一方を上記の制振材料で形成し、モータユニット１０をレンズ鏡胴１００の筐体に取り付ける際に、固定フレーム２を上記のネジ及びワッシャの少なくとも一方を用いて固定することでも同様の効果を得ることができる。
【００４２】
また、蓋部材４２については上記制振合金以外に鋼板と樹脂或いはその他の材料との複数の板の積層構造の制振鋼板を用いてもよい。また、ガイド軸押さえ６１、筐体４１及び蓋部材４２は、制振樹脂ペレットを用いて樹脂成形部品としたり、ＡＢＳ、ポリアセタール等の汎用プラスチックやエンジニアプラスチックに制振樹脂を混合した樹脂成形部品としてもよい。この制振樹脂材料としては、例えばシーシーアイ（株）製のダイポルギー制振樹脂等を用いることができる。
【００４３】
また、不図示であるが、カメラに上記の制振材料を用いた低振動、低騒音のレンズ鏡胴を備えることにより、特に動画撮影時に不要な騒音の記録されることのないカメラを得ることが可能となる。なお、本発明に係るレンズ鏡胴は動画撮影機能を有するカメラだけでなく、静止画撮影時に所定の時間だけ音声記録を行うような機能を有するカメラ等にも適用可能である。更に、静止画撮影のみの音声記録機能が無いカメラに用いてもよく、撮影者にとって低振動、低騒音の良好なフィーリングのカメラとすることができる。
【００４４】
なお、上記の実施の形態においては、レンズ鏡胴の例としてズームレンズ鏡胴を用いて説明したが、焦点合わせに所定のレンズ群を移動させる単焦点レンズのレンズ鏡胴にも適用可能であるのは勿論である。
【図面の簡単な説明】
【００４５】
【図１】本実施の形態に係るモータユニットの斜視図である。
【図２】本実施の形態に係るモータユニットの断面図である。
【図３】本実施の形態に係るレンズ鏡胴の内部構成の一例を示す模式図である。
【図４】本実施の形態に係るレンズ鏡胴の外観を示す斜視図である。
【図５】図４に示すレンズ鏡胴の蓋部材を外した状態を示す斜視図である。
【符号の説明】
【００４６】
１  先端軸受
２  固定フレーム
３  モータケース
４  コイル
５  ステータ
６  ボビン
７  スラストバネ
８  リードスクリュー
９  マグネット
１０  レンズ鏡胴
１１  ナット
２１  第１レンズ群
２２  第２レンズ群
２３  第３レンズ群
２４  第４レンズ群
２５  光学フィルタ
２６  撮像素子
３２  第２レンズ群鏡枠
３４  第４レンズ群鏡枠
３６、３８  ガイド軸
４１  筐体
４２  蓋部材
６１  ガイド軸押さえ
１００  レンズ鏡胴
Ｏ  光軸
【図１】
2007306755.tif 000003
【図２】
2007306755.tif 000004
【図３】
2007306755.tif 000005
【図４】
2007306755.tif 000006
【図５】
2007306755.tif 000007